【事件の表示】
　特願２００９−１６０７７１「固体撮像素子の駆動方法並びに固体撮像装置およびカメラシステム」拒絶査定不服審判事件〔平成２１年１０月　１日出願公開、特開２００９−２２５４７８〕について、次のとおり審決する。
【結　論】
　本件審判の請求は、成り立たない。
【理　由】
第１．手続の経緯
　本願は、平成１５年４月２４日に出願した特願２００３−１１９４０７号の一部を平成２１年７月７日に新たな特許出願としたものであって、平成２３年８月２２日付けで拒絶理由が通知され、平成２３年１０月２４日付けで手続補正がなされ、さらに、平成２４年６月１２日付けで拒絶理由が通知され、平成２４年８月１３日付けで手続補正がなされたが、平成２５年３月２１日に、平成２４年８月１３日付けの手続補正は決定をもって却下されるとともに、同日付けで拒絶査定がなされたものである。これを不服として、平成２４年７月２日に本件審判請求がなされると同時に同日付けで手続補正がなされた。
　
第２．平成２５年７月２日付け手続補正についての補正却下の決定
［補正却下の決定の結論］
　　平成２５年７月２日付けの手続補正を却下する。
［理由］
１．補正の内容
　この手続補正により補正された特許請求の範囲の請求項１に係る発明は、補正前の請求項１に係る発明の発明特定事項である「フィールド読出モード」、及び、「当該垂直転送駆動によって、前記２つの動作モードの何れにおいても、連続してオンしたＰ−２個の転送チャネル部分の並びで形成される、前記信号電荷のパケットごとに、当該パケットよりも垂直転送方向の前方側で転送チャネル部分をオンさせ、当該パケット内の最後端で転送チャネル部分をオフさせて前記パケットを垂直転送方向にシフトし、当該シフトを繰り返すことで前記信号電荷の垂直転送を行う」を、それぞれ、「複数フィールドで１フレームの信号電荷を読み出すフィールド読出モード」、及び、「当該垂直転送駆動によって、前記２つの動作モードの何れにおいても、連続してオンしたＰ−２個の転送チャネル部分と、連続してオフした２個の転送チャネル部分とが交互に形成され、前記連続してオンしたＰ−２個の転送チャネル部分から形成される前記信号電荷のパケットごとに、当該パケットよりも垂直転送方向の前方側で１個の転送チャネル部分をオンさせ、当該パケット内の最後端で１個の転送チャネル部分をオフさせて前記パケットを垂直転送方向にシフトし、当該シフトを繰り返すことで前記信号電荷の垂直転送を行う」と限定したものである。
　
２．補正の適否
（１）限定的減縮
　請求項１に係る補正は、補正前の請求項１に係る発明の発明特定事項を限定したものであり、平成１８年法律第５５号改正附則第３条第１項によりなお従前の例によるとされる同法による改正前の特許法（以下、「平成１８年改正前特許法」という）第１７条の２第４項第２号に規定された特許請求の範囲の減縮を目的とするものである。
　そこで、補正後の請求項１に係る発明（以下、「本願補正発明」という）が特許出願の際独立して特許を受けることができるものであるか否かについて以下に検討する。
　
（２）独立特許要件
ア．本願補正発明
　上記補正後の請求項１に係る発明は、特許請求の範囲の請求項１に記載された事項により特定される次のとおりのものである。
　
「光電変換によって得た信号電荷を垂直転送する転送チャネルに読み出す信号電荷のライン数を、複数フィールドで１フレームの信号電荷を読み出すフィールド読出モードとライン間引モードの２つの動作モードで異なるものとし、
　前記転送チャネルのオンとオフをそれぞれが部分的に制御する複数の垂直転送電極に対して、Ｐ（Ｐは５以上の正の整数）相の垂直転送ドライブパルスを印加して行う垂直転送駆動タイミングの制御自体は、前記２つの動作モードで同じとして、
　垂直転送駆動を実行し、
　当該垂直転送駆動によって、前記２つの動作モードの何れにおいても、連続してオンしたＰ−２個の転送チャネル部分と、連続してオフした２個の転送チャネル部分とが交互に形成され、前記連続してオンしたＰ−２個の転送チャネル部分から形成される前記信号電荷のパケットごとに、当該パケットよりも垂直転送方向の前方側で１個の転送チャネル部分をオンさせ、当該パケット内の最後端で１個の転送チャネル部分をオフさせて前記パケットを垂直転送方向にシフトし、当該シフトを繰り返すことで前記信号電荷の垂直転送を行う
　固体撮像素子の駆動方法。」
　
イ．刊行物
（ア）刊行物１
ａ．刊行物１の記載事項
　本願の出願前に頒布された刊行物である特開２００３−５２０４９号公報（以下、「刊行物１」という）には、図面とともに次の事項が記載されている。
　
「【発明の詳細な説明】
【０００１】
【発明の属する技術分野】本発明は、被写体像を撮像する撮像装置に関する。
【０００２】
【従来の技術】特開２０００−２０１３５５に、インターライン型固体撮像素子を用いて、３回の部分読み出しで、全ての画素の電荷を読み出すことのできる方法、つまり、１フレームを３フィールドで構成した読み出し方法が開示されている。
【０００３】さらに、３フィールドで全ての画素の電荷を読み出す全画素モードと３フィールドのうちの１フィールドを繰り返すモニタリングモードを切り換える切り換え手段を持つことが開示されている。
【０００４】
【発明が解決しようとする課題】しかしながら、従来例においては、モニタリングモードにおいて、出力されるフィールド以外の画素の電荷を有効活用していないという問題点がある。さらに、現在、電子スチルカメラに用いられている固体撮像素子の高画素化が進み、間引き率が１／３では足りないという問題点もある。」
　
「【０００７】
【発明の実施の形態】本実施の形態においては、固体撮像素子の電荷転送素子は、ＣＣＤを用いて説明する。
【０００８】図１は、本実施例におけるインターライン型固体撮像素子の概略図を示す。
【０００９】１が画素、２が垂直ＣＣＤ、３が水平ＣＣＤ、４が出力部、５が信号出力端子となっている。画素１で光電変換された信号電荷は、読み出しパルスにより垂直ＣＣＤ２に送られ、６相駆動パルスφＶ１、φＶ２ＡおよびφＶ２Ｂ、φＶ３、φＶ４ＡおよびφＶ４Ｂ、φＶ５、および、φＶ６により水平ＣＣＤ３の方向へ順に転送される。
【００１０】水平ＣＣＤ３は、垂直ＣＣＤ２から転送されて来た水平一列分の信号電荷を二相駆動パルスφH１およびφH２により出力回路４に転送し、出力回路４で、電圧に変換され、画像信号出力端子５より出力される。
【００１１】図２に図１の固体撮像素子の画素の色フィルタ配置と電極配置を垂直１２画素分だけ示す。水平方向、垂直方向は、この繰り返しとなる。２１は色フィルタをのせた画素で、赤（Ｒ）と緑（Ｇ）を繰り返す水平画素列と、緑（Ｇ）と青（Ｂ）を繰り返す水平画素列が、垂直方向に交互に配列されている。２２は、垂直ＣＣＤの転送電極を示していて、垂直ＣＣＤの２転送電極毎に１画素が対応している。
【００１２】同じ数字で表している転送電極Ｖ１、Ｖ２ＡおよびＶ２Ｂ、Ｖ３、Ｖ４ＡおよびＶ４Ｂ、Ｖ５、および、Ｖ６のそれぞれに、６相駆動パルスφＶ１、φＶ２ＡおよびφＶ２Ｂ、φＶ３、φＶ４ＡおよびφＶ４Ｂ、φＶ５、および、φＶ６を加えることで、６相で転送させることができる。６相駆動パルスのうち、φＶ２ＡおよびφＶ２Ｂ、φＶ４ＡおよびφＶ４Ｂは、垂直ＣＣＤの電荷転送に関わるパルスは、同じものを用いるものとする。
【００１３】また、第１フィールドの読み出しパルスは、読み出し電極を兼ねた転送電極Ｖ２ＡおよびＶ２Ｂに加えられ、第１水平画素列、第４水平画素列、第７水平画素列および第１０水平画素列の電荷を垂直ＣＣＤに読み出すことができる。第２フィールドの読み出しパルスは、読み出し電極を兼ねた転送電極Ｖ４ＡおよびＶ４Ｂに加えられ、第２水平画素列、第５水平画素列、第８水平画素列および第１１水平画素列の電荷を垂直ＣＣＤに読み出すことができる。第３フィールドの読み出しパルスは、読み出し電極を兼ねた転送電極Ｖ６に加えられ、第３水平画素列、第６水平画素列、第９水平画素列および第１２水平画素列の電荷を垂直ＣＣＤに読み出すことができるように構成されている。
【００１４】さらに、転送電極Ｖ２Ａは、第１水平画素列および第１０水平画素列の電荷を垂直ＣＣＤに読み出し、転送電極Ｖ２Ｂは、第４水平画素列および第７水平画素列の電荷を垂直ＣＣＤに読み出し、転送電極Ｖ４Ａは、第５水平画素列および第８水平画素列の電荷を垂直ＣＣＤに読み出し、転送電極Ｖ４Ｂは、第２水平画素列および第１１水平画素列の電荷を垂直ＣＣＤに読み出すことができるように構成されている。
【００１５】図３に撮像装置のブロック図を示す。６がレンズ・シャッタ・絞りからなる光学系、７が固体撮像素子、８が光学系および固体撮像素子を駆動する駆動回路、９が固体撮像素子からの信号に対して、色処理等の処理を行う信号処理回路、１０が固体撮像素子が出力した信号を記憶できる画像メモリ、１１が画像表示装置（電子ビューファンダ）、１２が固体撮像素子の出力レベルを検出するレベル検出回路、１３が異なる撮影モードを切り換えることのできる撮影モード設定回路、１４が撮像装置全体を制御する同期制御回路となっている。
【００１６】ここで、上記の駆動回路８より固体撮像素子へφＶ１、φＶ２Ａ、φＶ２Ｂ、φＶ３、φＶ４Ａ、φＶ４Ｂ、φＶ５、及び、φＶ６の６相パルスを加える。
【００１７】図４のタイミングチャートおよび図５の画素配置を用いて、第１の撮影モードを説明する。第１の撮影モードは、全ての画素の電荷を３フィールドで読み出すモードとなっていて、垂直画素数を1440画素と仮定する。
【００１８】ＶＤは、垂直同期信号、メカシャッタは、開閉することで露光を制御し、電子シャッタは、固体撮像素子の基板電位にパルスを加え、画素の電荷を基板方向に抜き取ることで、露光を制御する。
【００１９】電子シャッタパルスが終了した時間ｔ１１からメカシャッタが閉じた時間ｔ１２までが露光時間となる。駆動パルスφＶ２ＡＲ、φＶ２ＢＲ、φＶ４ＡＲ、φＶ４ＢＲおよびφＶ６Ｒは、それぞれ、φＶ２Ａ、φＶ２Ｂ、φＶ４Ａ、φＶ４ＢおよびφＶ６に加えられる読み出しパルスのみを示している。また、ＣＣＤ出力は、固体撮像素子の出力を示している。
【００２０】ｔ１３の時点で、φＶ２ＡＲおよびφＶ２ＢＲに読み出しパルスが加わるので、第１水平画素列、第４水平画素列、第７水平画素列および第１０水平画素列の電荷を垂直ＣＣＤに読み出す。これを図示したのが、図５（ａ）となり、この電荷を出力したのが、ＣＣＤ出力の第１フィールドとなる。信号は、垂直画素数の１／３の４８０ライン分が出力される。
【００２１】次に、ｔ１４の時点で、φＶ４ＡＲおよびφＶ４ＢＲに読み出しパルスが加わるので、第２水平画素列、第５水平画素列、第８水平画素列および第１１水平画素列の電荷を垂直ＣＣＤに読み出す。これを図示したのが、図５（ｂ）となり、この電荷を出力したのが、ＣＣＤ出力の第２フィールドとなる。信号は、垂直画素数の１／３の４８０ライン分が出力される。
【００２２】さらに、ｔ１５の時点で、φＶ６Ｒに読み出しパルスが加わるので、第３水平画素列、第６水平画素列、第９水平画素列および第１２水平画素列の電荷を垂直ＣＣＤに読み出す。これを図示したのが、図５（ｃ）となり、この電荷を出力したのが、ＣＣＤ出力の第３フィールドとなる。
【００２３】信号は、垂直画素数の１／３の４８０ライン分が出力される。出力された３フィールドの信号は、いったん画像メモリまで送られ、画素の配列と同じように並べられた後、信号処理回路で画像処理され、再び、画像メモリに保存される。
【００２４】図６のタイミングチャートおよび図５（ａ）の画素配置を用いて、第２の撮影モードを説明する。第２の撮影モードは、３フィールドのうちの１フィールドを繰り返すモードとなっていて、垂直４８０ラインの動画撮影を行うことができる。第２の撮影モードでは、メカシャッタは、常に開放で、電子シャッタにより露光を制御する。
【００２５】各垂直同期期間において、電子シャッタパルスが終了した時間ｔ１６から読み出しパルスの加わる時間ｔ１７までが露光時間となる。本実施例では、読み出しパルスφＶ２ＡＲおよびφＶ２ＢＲのみを加えているので、常に第１フィールドが出力される。図５（ａ）に示すように第１フィールドは、固体撮像素子の色フィルタ配列と同じ色フィルタ配列の信号を出力するので、出力された第１フィールドの信号は、信号処理回路で画像処理され、画像メモリに保存される。
【００２６】図７のタイミングチャートおよび図８の画素配置を用いて、第３の撮影モードを説明する。第３の撮影モードは、３フィールドのうちの第１フィールドと第３フィールドを読み出し、それを垂直ＣＣＤにおいて加算して出力することを繰り返すモードとなっていて、垂直４８０ラインの動画撮影を行うことができる。
【００２７】第２の撮影モードで撮影中に、被写体の光量が落ち、画面が暗くなった場合に、固体撮像素子の出力レベルが下がったことをレベル検出回路が検出し、同期制御回路が、この第３の撮影モードに切り換える。
【００２８】第３の撮影モードでは、メカシャッタは、常に開放で、電子シャッタにより露光を制御する。各垂直同期期間において、電子シャッタパルスが終了した時間ｔ１８から読み出しパルスの加わる時間ｔ１９までが露光時間となる。本実施の形態では、読み出しパルスφＶ２ＡＲ、φＶ２ＢＲおよびＶ６Ｒを加えているので、第１フィールドと第３フィールドが出力される。
【００２９】図８に示すように、第１フィールドと第３フィールドは、固体撮像素子の色フィルタ配列と同じ色フィルタ配列の信号を出力するので、垂直ＣＣＤで加算された信号も固体撮像素子の色フィルタ配列と同じになる。出力された加算フィールドの信号は、信号処理回路で画像処理され、画像メモリに保存される。これにより、暗時における感度の改善が図られる。
【００３０】図９のタイミングチャートおよび図１０の画素配置を用いて、第４の撮影モードを説明する。第４の撮影モードは、垂直方向１２画素のうち、特定の２画素を常に読み出す間引きフィールドを繰り返すモードとなっていて、信号は、垂直画素数の１／６の２４０ライン分が出力される。この垂直２４０ラインの信号は、動画撮影に用いることができるとともに、ＬＣＤ等の画像表示装置の表示ライン数にも最適となっている。
【００３１】第４の撮影モードでは、メカシャッタは、常に開放で、電子シャッタにより露光を制御する。各垂直同期期間において、電子シャッタパルスが終了した時間ｔ２０から読み出しパルスの加わる時間ｔ２１までが露光時間となる。本実施例では、読み出しパルスφＶ２ＡＲのみを加えているので、第１水平画素列および第１０水平画素列の電荷を垂直ＣＣＤに読み出す。
【００３２】図１０に示すように、間引きフィールドは、固体撮像素子の色フィルタ配列と同じ色フィルタ配列の信号を出力するので、出力された間引きフィールドの信号は、信号処理回路で画像処理され、画像表示装置に出力されて表示に用いられることもできるし、画像メモリに保存することもできる。
【００３３】また、図１０によると、垂直方向１２画素のうちの第１水平画素列および第１０水平画素列の電荷を読み出しているので、第１フィールドと比較すると第４水平画素列および第７水平画素列に相当する電荷は読み出されない。そこで、６相で駆動される垂直ＣＣＤを１回分転送させただけでは、次の水平画素が読み出せない場合が発生する。そのため、電荷のある水平画素列と電荷のない水平画素列を組にして転送するように、垂直ＣＣＤは、常に２回分転送させる必要がある。
【００３４】図１１のタイミングチャートおよび図１２の画素配置を用いて、第５の撮影モードを説明する。第５の撮影モードは、垂直方向１２画素のうち、特定の４画素を常に読み出し、水平ＣＣＤにおいて、垂直方向に隣り合う電荷を加算して出力する間引き加算フィールドを繰り返すモードとなっていて、信号は、垂直画素数の１／６の２４０ライン分が出力される。この垂直２４０ラインの信号は、動画撮影に用いることができるとともに、ＬＣＤ等の画像表示装置の表示ライン数にも最適となっている。」
　
「【００４５】以上のように本実施の形態によれば、撮像装置において、高画素撮影モード以外に、動画撮影モードおよび画像表示モードという２種類の間引きモードを実現するとともに、暗時撮影時の感度の改善を図ることができる。」
　
ｂ．刊行物１発明
（ａ）「電子スチルカメラに用いられている固体撮像素子の駆動方法であって、
　画素で光電変換された信号電荷が、読み出しパルスにより垂直ＣＣＤに送られ、６相駆動パルスにより水平ＣＣＤの方向へ順に転送され」
　
　刊行物１には、「電子スチルカメラに用いられている固体撮像素子」（【０００４】）について記載されており、実施の形態の固体撮像素子では、「画素１で光電変換された信号電荷は、読み出しパルスにより垂直ＣＣＤ２に送られ、６相駆動パルスφＶ１、・・・、により水平ＣＣＤ３の方向へ順に転送される」（【０００９】）ものであり、この動作は、「固体撮像素子の駆動方法」として捉えることができる。
　したがって、刊行物１には、「電子スチルカメラに用いられている固体撮像素子の駆動方法であって、
　画素で光電変換された信号電荷が、読み出しパルスにより垂直ＣＣＤに送られ、６相駆動パルスにより水平ＣＣＤの方向へ順に転送され」る方法が記載されている。
　
（ｂ）「該垂直ＣＣＤは、複数の転送電極それぞれに６相駆動パルスを加えることで６相で信号電荷を転送させるものであり」
　
　刊行物１には、垂直ＣＣＤについて次のように記載されている。
「２２は、垂直ＣＣＤの転送電極を示していて、垂直ＣＣＤの２転送電極毎に１画素が対応している。
　同じ数字で表している転送電極Ｖ１、Ｖ２ＡおよびＶ２Ｂ、Ｖ３、Ｖ４ＡおよびＶ４Ｂ、Ｖ５、および、Ｖ６のそれぞれに、６相駆動パルスφＶ１、φＶ２ＡおよびφＶ２Ｂ、φＶ３、φＶ４ＡおよびφＶ４Ｂ、φＶ５、および、φＶ６を加えることで、６相で転送させることができる。（【００１１】、【００１２】）
　したがって、刊行物１記載の方法は、「該垂直ＣＣＤは、複数の転送電極それぞれに６相駆動パルスを加えることで６相で信号電荷を転送させるもの」である。
　
（ｃ）「撮影モードとして、全ての画素の電荷を３フィールドで読み出す第１の撮影モード、３フィールドのうちの１フィールドを繰り返す第２の撮影モード、３フィールドのうちの第１フィールドと第３フィールドを読み出し、それを垂直ＣＣＤにおいて加算して出力することを繰り返す第３の撮影モード、垂直方向１２画素のうち、特定の２画素を常に読み出す間引きフィールドを繰り返す第４の撮影モード、垂直方向１２画素のうち、特定の４画素を常に読み出し、水平ＣＣＤにおいて、垂直方向に隣り合う電荷を加算して出力する間引き加算フィールドを繰り返す第５の撮影モードがある」
　
　刊行物１記載の上記方法に用いるカメラの撮像モードとして、刊行物１には、第１〜第５の撮影モードが記載されており、それぞれのモードは、「全ての画素の電荷を３フィールドで読み出すモード」（【００１７】）、「３フィールドのうちの１フィールドを繰り返すモード」（【００２４】）、「３フィールドのうちの第１フィールドと第３フィールドを読み出し、それを垂直ＣＣＤにおいて加算して出力することを繰り返すモード」（【００２６】）、「垂直方向１２画素のうち、特定の２画素を常に読み出す間引きフィールドを繰り返すモード」（【００３０】）、「垂直方向１２画素のうち、特定の４画素を常に読み出し、水平ＣＣＤにおいて、垂直方向に隣り合う電荷を加算して出力する間引き加算フィールドを繰り返すモード」（【００３４】）である。
　したがって、刊行物１の方法は、「撮影モードとして、全ての画素の電荷を３フィールドで読み出す第１の撮影モード、３フィールドのうちの１フィールドを繰り返す第２の撮影モード、３フィールドのうちの第１フィールドと第３フィールドを読み出し、それを垂直ＣＣＤにおいて加算して出力することを繰り返す第３の撮影モード、垂直方向１２画素のうち、特定の２画素を常に読み出す間引きフィールドを繰り返す第４の撮影モード、垂直方向１２画素のうち、特定の４画素を常に読み出し、水平ＣＣＤにおいて、垂直方向に隣り合う電荷を加算して出力する間引き加算フィールドを繰り返す第５の撮影モードがある」方法である。
　
（ｄ）刊行物１発明
　以上をまとめると、刊行物１には、次の発明（以下、「刊行物１発明」という）が記載されていると認められる。
　
［刊行物１発明］
　電子スチルカメラに用いられている固体撮像素子の駆動方法であって、
　画素で光電変換された信号電荷が、読み出しパルスにより垂直ＣＣＤに送られ、６相駆動パルスにより水平ＣＣＤの方向へ順に転送され、
　該垂直ＣＣＤは、複数の転送電極それぞれに６相駆動パルスを加えることで６相で信号電荷を転送させるものであり、
　撮影モードとして、全ての画素の電荷を３フィールドで読み出す第１の撮影モード、３フィールドのうちの１フィールドを繰り返す第２の撮影モード、３フィールドのうちの第１フィールドと第３フィールドを読み出し、それを垂直ＣＣＤにおいて加算して出力することを繰り返す第３の撮影モード、垂直方向１２画素のうち、特定の２画素を常に読み出す間引きフィールドを繰り返す第４の撮影モード、垂直方向１２画素のうち、特定の４画素を常に読み出し、水平ＣＣＤにおいて、垂直方向に隣り合う電荷を加算して出力する間引き加算フィールドを繰り返す第５の撮影モードがある、
　固体撮像素子の駆動方法。
　
（イ）刊行物２
ａ．刊行物２の記載事項
　本願の出願前に頒布された刊行物である特開平１１−２７５４６４号公報（以下、「刊行物２」という）には、図面とともに次の事項が記載されている。
「【発明の詳細な説明】
【０００１】
【産業上の利用分野】本発明は、例えば一体型ビデオカメラに固体撮像素子（イメージセンサ）として用いられている電荷転送装置の駆動方法に関する。
【０００２】
【従来の技術】一体型ビデオカメラ等に広く用いられている埋め込み型電荷転送装置（以下、ＢＣＣＤと略記する）の断面構造を図１に示す。図１において、１はＰ型基板であり、２は埋め込み型電荷転送部としてのｎ-埋め込み層であり、３はｎ+拡散層である。ＩＳは電荷注入電位を設定する入力ソース電極であり、ＩＧは電荷注入量を制御する入力ゲート電極である。Ｇ１〜Ｇ４は４相クロックにより電荷転送を実行する転送電極であり、ＯＧは出力ゲート電極である。ＯＳは信号電荷Ｑを電圧Ｖに変換して出力する信号出力電極であり、ｎ+拡散層３に接続されている。ＯＤは出力ドレイン電極であり、ＲＧはリセットゲート電極である。
【０００３】出力ゲート電極ＯＧには約２ボルトの直流電圧が印加される。出力ドレイン電極ＯＤ及び入力ソース電極ＩＳにはチャンネルが空乏化する電圧（例えば１０ボルト）より大きい直流電圧が印加される。４つのゲート電極Ｇ１〜Ｇ４のうちのＧ１及びＧ２に１０ボルトが印加され、Ｇ３及びＧ４に０ボルトが印加される場合のチャンネル空乏化電位の分布（以下、ポテンシャル分布という）の例を図２に示す。
【０００４】従来の第１の駆動方法では、図３に示すような駆動パルスが各電極Ｇ１〜Ｇ４、ＩＧ、及びＲＧに印加される。図３において、例えば、Ｈ（高）レベルは５Ｖ、Ｌ（低）レベルは０Ｖである。φＧ１〜φＧ４は転送電極Ｇ１〜Ｇ４に印加される信号、φＩＧは入力電極ＩＧに印加される信号、φＲＧはリセットゲート電極ＲＧに印加される信号をそれぞれ示している。
【０００５】図４〜６は、図３の時刻ｔ＝ｔ１〜ｔ１８におけるポテンシャル分布を示している。まず、時刻ｔ＝ｔ１において、パルスφＧ１、φＧ２及びφＩＧがＨレベル、その他のパルスがＬレベルであり、電荷が注入される。時刻ｔ＝ｔ２ではφＩＧがＬレベルになっているので、電荷がゲート電極Ｇ１及びＧ２の下にためられる。時刻ｔ＝ｔ３ではパルスφＧ１及びφＧ２に加えてφＧ３もＨレベルになっており、電荷は３つのゲートＧ１、Ｇ２及びＧ３にわたって拡散している（この期間を便宜上拡散期間と呼ぶ）。
【０００６】時刻ｔ＝ｔ４ではパルスφＧ１がＬレベルに変化しており、転送電極（ゲート電極）Ｇ１の電極下にあった電荷は、フリンジ電界により２つの転送電極Ｇ２及びＧ３の電極下に転送されている（この期間を便宜上転送期間と呼ぶ）。時刻ｔ＝ｔ５ではパルスφＧ２及びφＧ３に加えてパルスφＧ４もＨレベルになっており、電荷は３つのゲートφＧ２、φＧ３及びφＧ４にわたって拡散している。つまり、再び拡散期間になっている。
【０００７】以後、同様にして、拡散期間と転送期間を繰り返すことにより図４〜６において右方向へ電荷が転送され、最終的にＯＳ端子から電荷が出力される。つぎに、従来の第２の駆動方法では、図７に示すような駆動パルスφＧ１〜φＧ４、φＩＧ、及びφＲＧが各電極Ｇ１〜Ｇ４、ＩＧ、及びＲＧに印加される。この駆動方法が適用される電荷転送装置は上記の第１の駆動方法と同じく図１に示すような構造を有するＢＣＣＤである。以下、従来の第２の駆動方法を図４、７及び８に基づいて説明する。
【０００８】まず、時刻ｔ＝ｔ１において、パルスφＧ１、φＧ２及びφＩＧがＨレベル、その他のパルスがＬレベルであり、電荷が注入される。時刻ｔ＝ｔ２ではφＩＧがＬレベルになっているので、電荷がゲート電極Ｇ１及びＧ２の下に貯められる。ｔ＝ｔ３において、パルスφＧ１及びφＧ３が同時に変化する。つまり、パルスφＧ１がＨレベルからＬレベルに立ち下がると同時にパルスφＧ３がＬレベルからＨレベルに立ち上がる。この時の時間軸を引き伸ばした詳細タイミングを図８に示す。
【０００９】図８からわかるように、パルスφＧ１がＨレベルからＬレベルに立ち下がるタイミングとパルスφＧ３がＬレベルからＨレベルに立ち上がるタイミングが同時である。パルスφＧ１がＨレベルの５０％まで下降したときにパルスφＧ３がＨレベルの５０％まで上昇している。
【００１０】ｔ＝ｔ４ではパルスφＧ２及びφＧ３がＨレベル、その他のパルスがＬレベルになっており、転送電極Ｇ１の電極下にあった電荷は、フリンジ電界により２つの転送電極Ｇ２及びＧ３の電極下に転送されている（転送期間）。
【００１１】ｔ＝ｔ５では、パルスφＧ２及びφＧ４が同時に変化する。つまり、パルスφＧ２がＨレベルからＬレベルに立ち下がると同時にパルスφＧ４がＬレベルからＨレベルに立ち上がる。この時の詳細タイミングは図８に示したパルスφＧ１及びφＧ３の変化と同様である。
【００１２】ｔ＝ｔ６ではパルスφＧ３及びφＧ４がＨレベル、その他のパルスがＬレベルになっており、転送電極Ｇ２の電極下にあった電荷は、フリンジ電界により２つの転送電極Ｇ３及びＧ４の電極下に転送されている。
【００１３】以後、同様にして、図４〜６において右方向へ電荷が転送され、最終的にＯＳ端子から電荷が出力される。この駆動方法方法では、第１の駆動方法における拡散期間、つまり電荷は３つのゲート電極Ｇ１、Ｇ２及びＧ３にわたって拡散している期間（図４〜６のｔ＝ｔ３，ｔ５，ｔ７，・・・，ｔ１７）は実質的に存在しない。２つのゲート電極Ｇ１及びＧ２、又はＧ２及びＧ３の電極下に電荷が存在する電荷転送期間が繰り返され、その２つのゲート電極が図４〜６において右方向へ移動していく。
【００１４】
【発明が解決しようとする課題】上述した従来の第１の駆動方法は、電荷拡散期間と電荷転送期間が交互に繰り返されることにより電荷移動は確実に行われる反面、転送時間が長くかかる点が不利である。つまり、電荷拡散期間と電荷転送期間がほぼ等しく、４電極ＣＣＤの１段当たりの転送に必要な時間は、例えばｔ＝ｔ１〜ｔ８の８単位時間となる。
【００１５】一方、従来の第２の駆動方法では、上述のように電荷拡散期間が実質的に存在せず、電荷転送期間のみによって電荷転送が行われるので、第１の駆動方法の約半分の時間で電荷を転送することができる。しかし、例えば、パルスφＧ１の立ち下がりとパルスφＧ３の立ち上がりがほぼ同時に行われるので、そのタイミング制御がクリティカルでなければならない。仮に、パルスφＧ１の立ち下がりがパルスφＧ３の立ち上がりより早くなり、４つのゲートパルスパルスφＧ１〜φＧ４のうちφＧ２のみがＨレベルである期間が生じたとすると、転送電荷がその電極下からあふれることになる。あるいは、そのようなオーバーフローを防ぐために、最大転送電荷量を下げる必要が生ずる。ゲート容量が各電極で異なるため、ゲートに印加されるパルスのタイミングが正確に一致していても実際の素子内部のタイミングに差が生ずる場合もある。
【００１６】本発明は上記のような実情に鑑みてなされたものであって、その目的は、短時間での電荷転送を可能にしながら、ゲート容量のばらつき等に起因するパルス遅延時間の差の影響を受けにくい電荷転送装置の駆動方法を提供することにある。
【００１７】
【課題を解決するための手段】本発明による電荷転送装置の駆動方法は、２以上の数ｎ個の隣接する転送電極に対向する空乏層にわたって保持された電荷を、１又はｎ未満の数ｍ個ずれたｎ個の隣接する転送電極に対向する空乏層に移動させる際に、電荷移動前のｎ個の転送電極及び電荷移動後のｎ個の転送電極を含むｎ＋ｍ個の隣接する転送電極に対向する空乏層にわたって電荷を保持する状態を介在させ、ｎ＋ｍ個の隣接する転送電極に対向する空乏層にわたって電荷を保持する期間をｎ個の隣接する転送電極に対向する空乏層にわたって電荷を保持する期間より短く設定することを特徴とする。
【００１８】具体的な構成として、転送電極に４相の転送パルスが順次印加され、２つの隣接する転送電極に対向する空乏層にわたって保持された電荷を、１つずれた２つの隣接する転送電極に対向する空乏層に移動させる際に、電荷移動前の２つの転送電極及び電荷移動後の２つの転送電極を含む３つの隣接する転送電極に対向する空乏層にわたって電荷を保持する状態を介在させ、３つの隣接する転送電極に対向する空乏層にわたって電荷を保持する期間を２つの隣接する転送電極に対向する空乏層にわたって電荷を保持する期間より短く設定する。」
　
ｂ．刊行物２記載の技術事項
（ａ）「電荷の転送時間を短くすることができる転送方法であって」
　
　刊行物２には、「例えば一体型ビデオカメラに固体撮像素子（イメージセンサ）として用いられている電荷転送装置の駆動方法」（【０００１】）について記載されており、「従来の第２の駆動方法」として、従来の第１の駆動方法と比べて「第１の駆動方法の約半分の時間で電荷を転送することができる」（【００１５】）方法が記載されている。
　したがって、刊行物２には、「電荷の転送時間を短くすることができる転送方法」が記載されている。
　
（ｂ）「印可される駆動パルスをＨレベルとして電荷が貯められた２以上の数ｎ個の連続したチャンネルと、印可される駆動パルスをＬレベルとして電荷が貯められない２個の連続したチャンネルとが交互に形成され」
　
　刊行物２には、「従来の第２の駆動方法」として、【０００７】−【００１３】、【図７】に、電荷の転送方法が記載されている。
　それによると、例えば、時刻ｔ＝ｔ２では、印可される駆動パルスφＧ１、φＧ２をＨレベルとして対応する２個のチャンネルに電荷が貯められ、印可される駆動パルスφＧ３、φＧ４をＬレベルとして対応する２個のチャンネルに電荷が貯められない。そのような４相の駆動パルスが転送方向に繰り返し印可される（この点については【図１】、【図２】も参照）。
　よって、刊行物２に記載された「従来の第２の駆動方法」は、「印可される駆動パルスをＨレベルとして電荷が貯められた２個の連続したチャンネルと、印可される駆動パルスをＬレベルとして電荷が貯められない２個の連続したチャンネルとが交互に形成され」るものである。
　また、刊行物２の【課題を解決するための手段】には、「本発明による電荷転送装置の駆動方法」として、「２以上の数ｎ個の隣接する転送電極に対向する空乏層にわたって保持された電荷を、１又はｎ未満の数ｍ個ずれたｎ個の隣接する転送電極に対向する空乏層に移動させる際に、電荷移動前のｎ個の転送電極及び電荷移動後のｎ個の転送電極を含むｎ＋ｍ個の隣接する転送電極に対向する空乏層にわたって電荷を保持する状態を介在させ、ｎ＋ｍ個の隣接する転送電極に対向する空乏層にわたって電荷を保持する期間をｎ個の隣接する転送電極に対向する空乏層にわたって電荷を保持する期間より短く設定することを特徴とする」方法が記載され、解決する課題は、「短時間での電荷転送を可能にしながら、」（【００１６】）さらに、その他の課題を解決することであるから、刊行物２には、短時間での電荷転送を可能にする「従来の第２の駆動方法」においても、「印可される駆動パルスをＨレベルとして電荷が貯められた２個の連続したチャンネル」の連続したチャンネルを２個ではなく「２以上の数ｎ個の連続したチャンネル」とし得ることが理解できる。
　したがって、刊行物２には、「印可される駆動パルスをＨレベルとして電荷が貯められた２以上の数ｎ個の連続したチャンネルと、印可される駆動パルスをＬレベルとして電荷が貯められない２個の連続したチャンネルとが交互に形成され」る転送方法が記載されていると認められる。
　
（ｃ）「前記印可される駆動パルスをＨレベルとして電荷が貯められた２個の連続したチャンネルに電荷が存在するときに、２個の連続したチャンネルのうち後方の１個のチャンネルに印可される駆動パルスをＬレベルにすると同時に、次の前方の１個のチャンネルに印可される駆動パルスをＨレベルにすることを繰り返すことで電荷の転送を行う転送方法」
　
　刊行物２の上記転送方法は、上記した時刻ｔ＝ｔ２の後、時刻ｔ＝ｔ３において、パルスφＧ１がＨレベルからＬレベルに立ち下がると同時にパルスφＧ３がＬレベルからＨレベルに立ち上がる。ｔ＝ｔ４ではパルスφＧ２及びφＧ３がＨレベル、その他のパルスがＬレベルになっており、転送電極Ｇ１の電極下にあった電荷は、２つの転送電極Ｇ２及びＧ３の電極下に転送されている。これが繰り返されて電荷が転送される。
　したがって、刊行物２記載の転送方法は、「前記印可される駆動パルスをＨレベルとして電荷が貯められた２個の連続したチャンネルに電荷が存在するときに、２個の連続したチャンネルのうち後方の１個のチャンネルに印可される駆動パルスをＬレベルにすると同時に、次の前方の１個のチャンネルに印可される駆動パルスをＨレベルにすることを繰り返すことで電荷の転送を行う転送方法」といえる。
　
（ｄ）刊行物２記載の技術事項
　以上をまとめると、刊行物２には、次の技術事項が記載されていると認められる。
　
［刊行物２記載の技術事項］
　電荷の転送時間を短くすることができる方法であって、印可される駆動パルスをＨレベルとして電荷が貯められた２以上の数ｎ個の連続したチャンネルと、印可される駆動パルスをＬレベルとして電荷が貯められない２個の連続したチャンネルとが交互に形成され、前記印可される駆動パルスをＨレベルとして電荷が貯められた２個の連続したチャンネルに電荷が存在するときに、２個の連続したチャンネルのうち後方の１個のチャンネルに印可される駆動パルスをＬレベルにすると同時に、次の前方の１個のチャンネルに印可される駆動パルスをＨレベルにすることを繰り返すことで電荷の転送を行う転送方法。
　
ウ．本願補正発明と刊行物１発明との対比
（ア）本願補正発明の「固体撮像素子の駆動方法」について
　
　刊行物１発明は、固体撮像素子の駆動方法であるから、この点で本願補正発明と一致する。
　
（イ）本願補正発明の「光電変換によって得た信号電荷を垂直転送する転送チャネルに読み出す信号電荷のライン数を、複数フィールドで１フレームの信号電荷を読み出すフィールド読出モードとライン間引モードの２つの動作モードで異なるものとし」について
　
　刊行物１発明の駆動方法は、「画素で光電変換された信号電荷が、読み出しパルスにより垂直ＣＣＤに送られ」るものであって、この「垂直ＣＣＤ」は、「信号電荷を垂直転送する転送チャネル」といえるから、刊行物１発明の駆動方法は、「光電変換によって得た信号電荷を垂直転送する転送チャネルに読み出す」ものであるといえる。
　また、刊行物１発明の駆動方法は、撮影モードとして、第１〜第５の撮影モード（「動作モード」）があり、第１のモードは、「全ての画素の電荷を３フィールドで読み出す」モードであるから、「複数フィールドで１フレームの信号電荷を読み出すフィールド読出モード」といえ、第２〜第５のモードは、「３フィールドのうちの１フィールドを繰り返す」モード、「３フィールドのうちの第１フィールドと第３フィールドを読み出し、それを垂直ＣＣＤにおいて加算して出力することを繰り返す」モード、「垂直方向１２画素のうち、特定の２画素を常に読み出す間引きフィールドを繰り返す」モード、「垂直方向１２画素のうち、特定の４画素を常に読み出し、水平ＣＣＤにおいて、垂直方向に隣り合う電荷を加算して出力する間引き加算フィールドを繰り返す」モードであるから、何れも、全てのラインのうち一部のラインを読み出す「ライン間引モード」といえる。
　第１のモードでは、全てのラインが読み出され、第２〜第５のモードでは、一部のラインが読み出されるから、第１のモードと第２〜第５のモードでは、読み出す信号電荷のライン数が異なるといえる。
　よって、刊行物１発明は、「光電変換によって得た信号電荷を垂直転送する転送チャネルに読み出す信号電荷のライン数を、複数フィールドで１フレームの信号電荷を読み出すフィールド読出モードとライン間引モードの２つの動作モードで異なるものと」するものであるといえる。
　したがって、本願補正発明と刊行物１発明とは、「光電変換によって得た信号電荷を垂直転送する転送チャネルに読み出す信号電荷のライン数を、複数フィールドで１フレームの信号電荷を読み出すフィールド読出モードとライン間引モードの２つの動作モードで異なるものと」する点で一致する。
　
（ウ）本願補正発明の「前記転送チャネルのオンとオフをそれぞれが部分的に制御する複数の垂直転送電極に対して、Ｐ（Ｐは５以上の正の整数）相の垂直転送ドライブパルスを印加して行う垂直転送駆動タイミングの制御自体は、前記２つの動作モードで同じとして、垂直転送駆動を実行し、」について
　
　刊行物１発明における「垂直ＣＣＤ」は、「複数の転送電極それぞれに６相駆動パルスを加えることで６相で信号電荷を転送させる」ものであり、この６相駆動パルスによる転送を行うことは、「複数の垂直転送電極に対して、Ｐ（Ｐは５以上の正の整数）相の垂直転送ドライブパルスを印加して行う垂直転送駆動タイミングの制御を行って、垂直転送駆動を実行」することといえる。
　また、刊行物１発明の「複数の転送電極」は、「垂直ＣＣＤ」（信号電荷を垂直転送する「転送チャネル」といえる）の所定の部分毎に（オンとオフからなる２値の）パルスを加えるものであるから、「前記転送チャネルのオンとオフをそれぞれが部分的に制御する」ものであるといえる。
　したがって、本願補正発明と刊行物１発明とは、「前記転送チャネルのオンとオフをそれぞれが部分的に制御する複数の垂直転送電極に対して、Ｐ（Ｐは５以上の正の整数）相の垂直転送ドライブパルスを印加して行う垂直転送駆動タイミングの制御を行って、垂直転送駆動を実行」する点では共通している。
　しかしながら、垂直転送駆動タイミングの制御に関して、本願補正発明は、「垂直転送駆動タイミングの制御自体は、前記２つの動作モードで同じとして」いるのに対し、刊行物１発明では、２つの動作モードで同じか否か明らかではない点で両者は相違する（相違点１）。
　
（エ）本願補正発明の「当該垂直転送駆動によって、前記２つの動作モードの何れにおいても、連続してオンしたＰ−２個の転送チャネル部分と、連続してオフした２個の転送チャネル部分とが交互に形成され、前記連続してオンしたＰ−２個の転送チャネル部分から形成される前記信号電荷のパケットごとに、当該パケットよりも垂直転送方向の前方側で１個の転送チャネル部分をオンさせ、当該パケット内の最後端で１個の転送チャネル部分をオフさせて前記パケットを垂直転送方向にシフトし、当該シフトを繰り返すことで前記信号電荷の垂直転送を行う」について
　
　刊行物１発明の、６相駆動パルスにより信号電荷を転送させることは、何れの撮影モードでも行われることであるから、本願補正発明と刊行物１発明とは、「当該垂直転送駆動によって、前記２つの動作モードの何れにおいても、前記信号電荷の垂直転送を行う」点では共通するといえる。
　しかしながら、本願補正発明では、「当該垂直転送駆動によって、前記２つの動作モードの何れにおいても、連続してオンしたＰ−２個の転送チャネル部分と、連続してオフした２個の転送チャネル部分とが交互に形成され、前記連続してオンしたＰ−２個の転送チャネル部分から形成される前記信号電荷のパケットごとに、当該パケットよりも垂直転送方向の前方側で１個の転送チャネル部分をオンさせ、当該パケット内の最後端で１個の転送チャネル部分をオフさせて前記パケットを垂直転送方向にシフトし、当該シフトを繰り返すことで前記信号電荷の垂直転送を行う」のに対し、刊行物１発明では、垂直転送駆動によって、各動作モードにおける信号電荷の垂直転送がどのように行われるのかは特定されていない点で両者は異なる（相違点２）。
　
（オ）一致点、相違点
　以上をまとめると、本件補正発明と刊行物１発明の一致点、相違点は次のとおりである。
　
［一致点］
　光電変換によって得た信号電荷を垂直転送する転送チャネルに読み出す信号電荷のライン数を、複数フィールドで１フレームの信号電荷を読み出すフィールド読出モードとライン間引モードの２つの動作モードで異なるものとし、
　前記転送チャネルのオンとオフをそれぞれが部分的に制御する複数の垂直転送電極に対して、Ｐ（Ｐは５以上の正の整数）相の垂直転送ドライブパルスを印加して行う垂直転送駆動タイミングの制御を行って、
　垂直転送駆動を実行し、
　当該垂直転送駆動によって、前記２つの動作モードの何れにおいても、前記信号電荷の垂直転送を行う
　固体撮像素子の駆動方法。
　
［相違点］
相違点１
　垂直転送駆動タイミングの制御に関して、本願補正発明は、「垂直転送駆動タイミングの制御自体は、前記２つの動作モードで同じとして」いるのに対し、刊行物１発明では、２つの動作モードで同じか否か明らかではない点。
　
相違点２
　本願補正発明では、「当該垂直転送駆動によって、前記２つの動作モードの何れにおいても、連続してオンしたＰ−２個の転送チャネル部分と、連続してオフした２個の転送チャネル部分とが交互に形成され、前記連続してオンしたＰ−２個の転送チャネル部分から形成される前記信号電荷のパケットごとに、当該パケットよりも垂直転送方向の前方側で１個の転送チャネル部分をオンさせ、当該パケット内の最後端で１個の転送チャネル部分をオフさせて前記パケットを垂直転送方向にシフトし、当該シフトを繰り返すことで前記信号電荷の垂直転送を行う」のに対し、刊行物１発明では、垂直転送駆動によって、各動作モードにおける信号電荷の垂直転送がどのように行われるのかは特定されていない点。
　
エ．当審の判断
　相違点１、相違点２について、併せて検討する。
　刊行物１発明では、信号電荷の垂直転送がどのように行われるのかは特定されていないが、刊行物１発明のような、ＣＣＤを駆動することにより信号電荷を転送するものにおける駆動パルスによる転送方法は種々の方法が知られている。
　そのような方法の１つとして、電荷の転送時間を短くすることができる方法であって、印可される駆動パルスをＨレベルとして電荷が貯められた２以上の数ｎ個の連続したチャンネルと、印可される駆動パルスをＬレベルとして電荷が貯められない２個の連続したチャンネルとが交互に形成され、前記印可される駆動パルスをＨレベルとして電荷が貯められた２個の連続したチャンネルに電荷が存在するときに、２個の連続したチャンネルのうち後方の１個のチャンネルに印可される駆動パルスをＬレベルにすると同時に、次の前方の１個のチャンネルに印可される駆動パルスをＨレベルにすることを繰り返すことで電荷の転送を行う転送方法は、刊行物２に記載されているように知られていることである。
　刊行物１発明は、電子スチルカメラに用いられているＣＣＤを用いた固体撮像素子の駆動方法であり、そのＣＣＤの動作速度を向上させるという課題は想定し得るものであるから、刊行物１発明において、ＣＣＤの動作速度の向上、すなわち、垂直ＣＣＤの転送時間を短くするために、刊行物２に記載された電荷の転送時間を短くする転送方法を採用しようとすることは、当業者が容易に想到し得ることである。その場合、刊行物１の方法は６相（本願補正発明でいう「Ｐ相」）駆動パルスであるから、その６から連続してオフしている転送チャネルの２個を引いた４個（本願補正発明でいう「Ｐ−２個」）が連続してオンしている転送チャネルの数となる。
　また、垂直ＣＣＤの転送時間を短くしようとすることは、刊行物１発明の複数の撮影モードの何れにおいても同様に考えられることであるから、複数の撮影モードの何れにおいても刊行物２に記載された転送方法を採用し、その結果として、複数の撮影モード間で垂直転送駆動タイミングの制御を同じとすることは、該制御を積極的に異ならせるようにする理由も刊行物１には見当たらず、当業者が容易に想到し得ることである。
　したがって、刊行物１発明において、刊行物２に記載された技術を適用し、「当該垂直転送駆動によって、前記２つの動作モードの何れにおいても、連続してオンしたＰ−２個の転送チャネル部分と、連続してオフした２個の転送チャネル部分とが交互に形成され、前記連続してオンしたＰ−２個の転送チャネル部分から形成される前記信号電荷のパケットごとに、当該パケットよりも垂直転送方向の前方側で１個の転送チャネル部分をオンさせ、当該パケット内の最後端で１個の転送チャネル部分をオフさせて前記パケットを垂直転送方向にシフトし、当該シフトを繰り返すことで前記信号電荷の垂直転送を行う」ようにし、かつ、「垂直転送駆動タイミングの制御自体は、前記２つの動作モードで同じ」とすることは、当業者が容易に想到し得ることである。
　
オ．独立特許要件のまとめ
　以上のとおり、本願補正発明は、刊行物１に記載された発明、刊行物２に記載された技術に基づいて当業者が容易に発明をすることができたものであり、特許出願の際独立して特許を受けることができないものである。
　
（３）補正の適否のまとめ
　よって、この手続補正は、平成１８年改正前特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　平成２５年７月２日付けの手続補正は、上述のとおり却下されたので、本願の請求項１−９に係る発明は、平成２３年１０月２４日付けの手続補正により補正された特許請求の範囲の請求項１−９に記載された事項により特定されるものであるところ、その請求項１に係る発明（以下、「本願発明」という）は次のとおりのものである。
　
［本願発明］
「光電変換によって得た信号電荷を垂直転送する転送チャネルに読み出す信号電荷のライン数を、フィールド読出モードとライン間引モードの２つの動作モードで異なるものとし、
　前記転送チャネルのオンとオフをそれぞれが部分的に制御する複数の垂直転送電極に対して、Ｐ（Ｐは５以上の正の整数）相の垂直転送ドライブパルスを印加して行う垂直転送駆動タイミングの制御自体は、前記２つの動作モードで同じとして、
　垂直転送駆動を実行し、
　当該垂直転送駆動によって、前記２つの動作モードの何れにおいても、連続してオンしたＰ−２個の転送チャネル部分の並びで形成される、前記信号電荷のパケットごとに、当該パケットよりも垂直転送方向の前方側で転送チャネル部分をオンさせ、当該パケット内の最後端で転送チャネル部分をオフさせて前記パケットを垂直転送方向にシフトし、当該シフトを繰り返すことで前記信号電荷の垂直転送を行う
　固体撮像素子の駆動方法。」
　
２．刊行物
　刊行物１に記載された発明、及び、刊行物２に記載された技術事項は、上記「第２．２．（２）イ．刊行物」に記載したとおりである。
　
３．対比
　本願発明と刊行物１発明とを対比すると、上記「第２．２．（２）ウ．本願補正発明と刊行物１発明との対比」と同様に、本願発明と刊行物１発明との一致点、相違点は次のとおりである。
　
［一致点］
　光電変換によって得た信号電荷を垂直転送する転送チャネルに読み出す信号電荷のライン数を、フィールド読出モードとライン間引モードの２つの動作モードで異なるものとし、
　前記転送チャネルのオンとオフをそれぞれが部分的に制御する複数の垂直転送電極に対して、Ｐ（Ｐは５以上の正の整数）相の垂直転送ドライブパルスを印加して行う垂直転送駆動タイミングの制御を行って、
　垂直転送駆動を実行し、
　当該垂直転送駆動によって、前記２つの動作モードの何れにおいても、前記信号電荷の垂直転送を行う
　固体撮像素子の駆動方法。
　
［相違点］
相違点１
　垂直転送駆動タイミングの制御に関して、本願発明は、「垂直転送駆動タイミングの制御自体は、前記２つの動作モードで同じとして」いるのに対し、刊行物１発明では、２つの動作モードで同じか否か明らかではない点。
　
相違点２
　本願発明では、「当該垂直転送駆動によって、前記２つの動作モードの何れにおいても、連続してオンしたＰ−２個の転送チャネル部分の並びで形成される、前記信号電荷のパケットごとに、当該パケットよりも垂直転送方向の前方側で転送チャネル部分をオンさせ、当該パケット内の最後端で転送チャネル部分をオフさせて前記パケットを垂直転送方向にシフトし、当該シフトを繰り返すことで前記信号電荷の垂直転送を行う」のに対し、刊行物１発明では、垂直転送駆動によって、各動作モードにおける信号電荷の垂直転送がどのように行われるのかは特定されていない点。
　
４．判断
　相違点１は、上述した本願補正発明との相違点１と同じものであり、相違点２は、上述した本願補正発明との相違点２から、「連続してオフした２個の転送チャネル部分とが交互に形成され」る点、及び、パケットをシフトするときのオン、オフする転送チャネルを「１個」とする点を除いたものであるから、相違点１、２に対する判断は、上述と同様の判断となり、刊行物１発明、及び、刊行物２に記載された技術事項に基づいて当業者が容易に想到し得ることであるといえる。
　したがって、本願発明は、刊行物１発明、及び、刊行物２に記載された技術事項に基づいて当業者が容易に発明をすることができたものである。
　
第４．むすび
　以上のとおりであるから、本願の請求項１に係る発明は、特許法第２９条第２項の規定により特許を受けることができない。
　したがって、本願は、その余の請求項２−９について論及するまでもなく、拒絶すべきものである。
　よって、結論のとおり審決する。